(57)【要約】      （修正有）【課題】    パチンコ台やスロットマシン等の遊技機の利益付与確率設定の確認もしくは利益付与確率の設定変更が行われたかを検出、通知することができる装置を提供する。【解決手段】設定キーの動作を検出若しくは同等の信号を検出する設定確認又は設定変更検出手段と、設定値を変更する為の設定スイッチの動作を検出若しくは同等の信号を検出する設定スイッチ検出手段と、設定値を変更し確定する際の確定スイッチの動作を検出若しくは同等の信号を検出する検出手段と、電源の状況を検出する検出手段を有するとともに、前記設定確認又は設定変更検出手段が有する各検出手段の検出信号の出力信号に応じて、設定の確認又は設定の変更が行なわれた状況を検知し、設定確認検知信号又は設定変更検知信号を判定出力し、通報手段を介しその検知内容を信号で経営者もしくは責任者の端末機へ通知する。【選択図】図２
2006055596.tif 000002
【特許請求の範囲】
【請求項１】
遊技場における利益付与確立変更機能を有する遊技機において、利益付与確立設定の変更を検出通知する装置で遊技機の管理をすることを特徴とする、設定変更検出通知装置を使用した管理システム。
【請求項２】
利益付与確立設定確認又は利益付与確立設定変更検出手段と、利益付与確立設定変更が行われたか、状況を判定する設定変更判定手段と、またその結果を通知する通報手段とを有することを特徴とする、請求項１に記載の設定変更検出通知装置。
【請求項３】
前記利益付与確立設定確認又は利益付与確立設定変更検出手段に、設定キーの動作を検出若しくは同等の信号を検出する設定キー動作検出手段と、設定値を変更する為の設定スイッチの動作を検出若しくは同等の信号を検出する設定スイッチ検出手段と、設定値を変更し確定する際の所定の確定スイッチの動作を検出若しくは同等の信号を検出する確定スイッチ検出手段と、スロットマシンの電源の状況を検出する電源状況検出手段を有する請求項２に記載の利益付与確立設定確認又は利益付与確立設定変更検出手段を有する請求項１に記載の設定変更検出通知装置。
【請求項４】
前記設定変更判定手段として、前記利益付与確立設定確認又は利益付与確立設定変更検出手段が有する各検出手段の検出信号の出力信号に応じて、利益付与確立設定確認又は利益付与確立設定変更が行なわれたか状況を検知し、利益付与確立設定確認信号又は利益付与確立設定変更信号を出力し、前記通報手段を介しその検知内容を信号で経営者もしくは責任者へ通知する機能を有する請求項１に記載の設定変更検出通知装置。
【発明の詳細な説明】
【技術分野】
【０００１】  本発明は、パチンコ台やスロットマシン等の遊技台を備えたパチンコ店などの遊技場に設置して使用される遊技機の管理及び監視に関するものである。
【背景技術】
【０００２】  パチンコ店などの遊技場に設置して使用されるパチンコ機及びスロットマシンは、その遊技媒体となっている玉及びメダルに一定の価値が与えられ、遊技を行って獲得したメダル等を種々の景品に交換することができる。このスロットマシンは、筐体の内部に、リール、コインホッパー、電源装置等の装置や、これら装置の作動を制御する制御回路基板が組み込まれ、その筐体を前面扉により施錠保護されている。【０００３】  このように構成されるスロットマシンにおいて、遊技の際に払い出される遊技媒体の払い出し確率（ペイアウト率）、また利益付与確率の設定変更は、電源装置等に組み込まれる設定変更入力部で行われている。この利益付与確率設定変更入力部は、例えば６段階のペイアウト率から１つを選択するための設定変更ボタンや現在の設定を確認する表示部、設定値を変更し確定する際の所定の確定スイッチ等から構成される。この、遊技媒体の払い出し確率（ペイアウト率）、利益付与確率を変更する場合には、電源装置等に設けられた鍵穴に専用の鍵となる設定キーを挿入し、設定変更を有効とする位置まで設定キーを所定方向に回転させる。そして、スロットマシンの電源をオンにし、設定変更ボタンを操作選択した後に所定のスイッチ操作を行うことで利益付与確率の設定変更を確定し実行することができる。なお、設定キーは遊技場の特定の店員又は経営者もしくは責任者しか保持所有していないので、遊技者等が設定変更を行うことができないようになっている。
【発明の開示】
【発明が解決しようとする課題】
【０００４】しかしながら、このような利益付与確率の設定変更は、本来遊技場の特定の設定キーを所持する店員が、経営者もしくは責任者の指示、許可の上で行うか、経営者もしくは責任者が自ら経営手段として行うものであるが、不正な店員若しくは不正に設定キーを手に入れた遊技者が、設定を変更したり、またキーを持たない遊技者が、電源装置や周辺回路を短絡（ショート）させることでも設定変更可能となるため、例えば遊技者が前面扉に穴を開けたり、隙間から道具を用いて電源装置や周辺回路を短絡させることで、所定の信号を擬似出力させれば不正な設定変更を行なったり、現在設定値の確認を行うことができるという問題がある。【０００５】本発明は、上記問題を解決するために発明されたものであり、利益付与確率設定の確認若しくは利益付与確率の設定変更が行なわれたかを検出通知することができる装置を提供することを目的とする。
【課題を解決するための手段】
【０００６】  上記目的を達成するために、本発明の装置は、設定確認又は設定変更検出手段及び設定変更が行われたか否かを判断する設定変更判定手段を有し、またその結果を通知する通報手段とを有するものであり、
前記  設定確認又は設定変更検出手段には、設定キーの動作を検出若しくは同等の信号を検出する設定キー動作検出手段と、設定値を変更する為の設定スイッチの動作を検出若しくは同等の信号を検出する設定スイッチ検出手段と、設定値を変更し確定する際の所定の確定スイッチの動作を検出若しくは同等の信号を検出する確定スイッチ検出手段と、スロットマシンの電源の状況を検出する電源状況検出手段を有するとともに、
前記  設定変更判定手段として、前記設定確認又は設定変更検出手段が有する各検出手段の検出信号の出力信号に応じて、設定の確認又は設定の変更が行なわれたか否かを検知し、設定確認検知信号又は設定変更検知信号を判定出力し、前記通報手段を介しその検知内容を信号で経営者もしくは責任者へ通知する装置を使用した管理システムである。
【発明の効果】
【０００７】  上述したように本発明の設定変更検出通知装置を使用した管理システムは、経営者若しくは責任者が意図しない利益付与確率設定の確認若しくは変更を検知し通知することで、いち早く計画通りの設定値へ修正することが出来るので、経営面に大きく影響を与える利益付与確率設定を常に経営計画通りに設定し営業することが出来る事となり、意図しない利益付与確率設定での営業を最小限に回避し、解決するという監視を行うことが出来ると同時に、常に設定状況の管理を行うことが出来るという効果を発揮するものである。【０００８】  また、不正な遊技者が前面扉に穴を開けたり、隙間から道具を用いて電源装置や周辺回路を短絡させることで、所定の擬似信号を出力させ、不正な設定変更を行なったり、現在の利益付与確率設定の確認だけを不正に行なうことで、不当に利益をあげる遊技者を防ぐことが出来、遊技者が不正に設定値の確認若しくは変更を行うことができるという問題も同様に同時解決するという効果を発揮するものである。
【発明を実施するための最良の形態】
【０００９】
【００１０】  以下、本発明の実施形態を図１〜図３に基づいて説明する。
【実施例】
【００１１】図１に示す、スロットマシン１は殆どの場合において、遊技の際に払い出される遊技媒体の払い出し確率（ペイアウト率）、利益付与確率の設定変更は、電源装置５に組み込まれる利益付与確率設定変更入力部６で入力され、制御回路基板３０で制御されている。【００１２】この利益付与確率設定変更入力部６は、例えば６段階のペイアウト率から１つを選択するための設定変更ボタン７や現在の設定を確認する表示部３、設定値を変更し確定する際の確定スイッチ８（スタートレバー４と同一）から構成される。
この、遊技媒体の払い出し確率（ペイアウト率）、利益付与確率を変更する場合には、電源装置５に設けられた設定キー用鍵穴９に専用の鍵となる設定キー１０を挿入し、設定変更を有効とする位置まで設定キー１０を所定方向に回転させる。
そして、スロットマシン１の電源スイッチ１１をオンにすることで、利益付与確率設定変更有効モードで起動し、設定変更ボタン７が有効となり６段階の遊技媒体の払い出し確率（ペイアウト率）を選択操作することができるようになり、その設定変更ボタン７で６段階の内１つの段階を選択し、確定スイッチ８（スタートレバー４と同一）の操作を行うことでペイアウト率の設定変更を確定し実行することができる。【００１３】また、確定スイッチ８（スタートレバー４と同一）の操作を行わなかった場合は、ペイアウト率の設定変更を確定せず操作をキャンセルすることができる。【００１４】確定スイッチ８（スタートレバー４と同一）の操作を行い、ペイアウト率の設定変更を確定し実行後、設定キー１０を逆方向に回転させ、設定キー用鍵穴９から設定キー１０を取り外した後に前面扉２を閉じると、ゲームが行える通常モード状態となる。【００１５】上記ような流れで、利益付与確率設定確認若しくは変更が行われる場合の検知から判別、通報までの流れは、まず、設定確認又は設定変更検出手段２０にて、設定キー用鍵穴９に設定キー１０を挿入し所定の方向に回転させた場合に信号が通信されるか又は導通又は開放となる設定キー信号配線部２１に設定キー動作検出手段４０として設定キー信号検出センサ２２を取り付け、設定キー１０の操作状態を監視検出する。【００１６】上記条件に応じて、電源スイッチ１１をオンさせた場合に信号が通信されるか又は導通又は開放となる電源信号配線部２３に同様に取り付けた電源状況検出手段４１となる電源信号検出センサ２４で電源の死活を監視していることで、利益付与確率設定変更有効モードで起動したか否かを設定変更判定手段５０で判別する。【００１７】この段階で設定キー１０が戻された場合は、設定キー動作検出手段４０の設定キー信号検出センサ２２か検知し、設定変更判定手段５０が設定値の確認作業のみが行われた旨を判別し、通報手段６０で通報する。【００１８】また、上記の利益付与確率設定変更有効モード状態で起動したまま、設定変更ボタン７で６段階の利益付与確率を選択操作した後させた場合に信号が通信されるか又は導通又は開放となる設定変更ボタン信号配線部２５に設定変更ボタン動作検出手段４２として設定変更ボタン信号検出センサ２６を取り付け、設定変更ボタン７の操作状態を監視検出する。【００１９】つぎに、確定スイッチ８（スタートレバー４と同一）の操作を行った場合に信号が通信されるか又は導通若しくは開放となる確定スイッチ信号配線部２７に取り付けた確定スイッチ検出手段４３となる確定スイッチ信号検出センサ２８で監視し、設定変更を確定実行したかを検出し、設定変更判定手段５０で設定変更を確定実行したことを判別し、その旨を通報手段６０で通報する。【００２０】また、遊技者が例えば前面扉２に穴を開けて設定変更を不正に行おうとする場合がある。この場合、設定キー信号検出センサ２２が、設定キー１０の偽造キー等によりシリンダ９を所定の位置まで回転させたかを監視し、若しくは前面扉２に穴を開けたり、スロットマシン１の隙間から道具を用いて電源装置５や周辺回路を短絡させ同一の状態を成立させた場合も同様に、設定確認又は設定変更検出手段２０と設定変更判定手段５０と通報手段６０で同様の理由によりその旨を通報する。【００２１】また、前面扉２に穴を開け、スロットマシン１の隙間から道具を用いて設定変更ボタン７を操作されたり、確定スイッチ８（スタートレバー４と同一）の操作され設定変更を確定し実行された場合も同様の理由によりその旨を通報する。【００２２】通報手段６０は、検知内容を電気信号でコンピューター７０へ送信し、コンピューター７０は設定変更検出通知装置１００の個別の識別番号と、検知内容を、責任者若しくは経営者の端末機７１若しくは携帯端末機７２へ電子メール若しくは音声等の手段で通知する。【００２３】また、コンピューター７０は正式に計画的な設定変更がある場合は通知が内容を警報ではなく通知として履歴のみとし、計画外の設定変更は全て警報として扱う。【００２４】上記の動作で通知された警報により、責任者又は経営者が即対処行動をとれる。【００２５】上記の動作で通知された、正常な設定変更通知と警報通知の履歴情報を端末機に集積することで、店舗毎の遊技機の設定の管理と監視が可能になる。【００２６】本実施形態では、電源装置５に初期設定入力部があるスロットマシーン１への付加装置として設置の例を挙げたたが、これに限定する必要はなく、スロットマシーン１に組み込むようにしてもよい。【００２７】本実施形態では、スロットマシーン１への付加装置として設置の例を挙げたたが、これに限定する必要はなく、パチンコ機に関しても同様にしてもよい。
【図面の簡単な説明】
【００２８】
【図１】本発明を実施したスロットマシンの外観を示す斜視図
【図２】本発明の実施実態を示す正面配置図
【図３】本発明の実施実態を示すブロック図
【符号の説明】
【００２９】１  スロットマシーン
２  前面扉
３  設定を確認する表示部
４  スタートレバー
５  電源装置
６  利益付与確率設定変更入力部
７  設定変更ボタン
８  確定スイッチ
９  設定キー用鍵穴
１０  設定キー
１１  電源スイッチ
２０  設定確認又は設定変更検出手段
２１  設定キー信号配線部
２２  設定キー信号検出センサ
２３  電源信号配線部
２４  電源信号検出センサ
２５  設定変更ボタン信号配線部
２６  設定変更ボタン信号検出センサ
２７  確定スイッチ信号配線部
２８  確定スイッチ信号検出センサ
３０  制御回路基板
４０  設定キー動作検出手段
４１  電源状況検出手段
４２  設定変更ボタン動作検出手段
４３  確定スイッチ検出手段
５０  設定変更判定手段
６０  通報手段
７０  コンピューター
７１  端末機
７２  携帯端末機
１００  設定変更検出通知装置
【図１】
2006055596.tif 000003
【図２】
2006055596.tif 000004
【図３】
2006055596.tif 000005